(57)【要約】【課題】伝送網上の障害箇所を特定する処理負担を軽減する。【解決手段】ＯＴＮ４を使用して複数の伝送装置２間でデータを伝送する光伝送システム１である。伝送装置２は、ＯＴＮ４を使用して接続した上流の伝送装置２からデータを受信し、受信したデータから、報告先の伝送装置２ＡのＤＣＮ５上のＩＰアドレス及び、経由ノードを示す経路情報を含む属性情報を抽出するマルチフレーム終端回路２４を有する。更に、伝送装置２は、抽出された属性情報をメモリ２６に上書き更新し、ＯＴＮ４上の障害を検出すると、属性情報内のＩＰアドレスに基づき、ＤＣＮ５経由でＳＮＭＰのトラップ機能を使用し、報告先の伝送装置２Ａに障害警報を通知するラベル処理回路２７を有する。更に、報告先の伝送装置２Ａは、ＤＣＮ５経由で下流の伝送装置２Ｃから障害警報を取得すると、害警報内の経路情報に基づき、ＯＴＮ４上の障害箇所を特定し、障害の復旧処理を実行する。【選択図】図４
2013106153.tif 000002
【特許請求の範囲】
【請求項１】
第１の伝送網を使用して接続した上流の伝送装置からデータを受信し、受信されたデータから、報告先の伝送装置の宛先を示す宛先情報及び、当該データの伝送経路を示す経路情報を含む属性情報を抽出する終端回路と、
前記終端回路によって抽出された前記属性情報をメモリに記憶すると共に、前記第１の伝送網上の障害を検出した場合に、前記メモリに記憶された前記属性情報内の宛先情報に基づき、前記第１の伝送網と異なる第２の伝送網を使用して、前記報告先の伝送装置に障害警報を通知する属性情報処理回路と
を有することを特徴とする伝送装置。
【請求項２】
前記属性情報処理回路は、
前記第２の伝送網を使用して下流の伝送装置から前記障害警報を受信すると、前記障害警報内の経路情報に基づき、前記第１の伝送網上の障害箇所を特定すると共に、障害の復旧を指示することを特徴とする請求項１に記載の伝送装置。
【請求項３】
前記属性情報処理回路は、
前記終端回路によって前記データから前記属性情報が抽出されると、当該属性情報内の前記経路情報に現在の伝送装置の経路を追加して当該属性情報を更新し、
前記終端回路は、
前記属性情報処理回路によって更新された属性情報を前記データに付加し、当該属性情報が付加されたデータを前記第１の伝送網を使用して接続した下流の伝送装置に送信することを特徴とする請求項１又は２に記載の伝送装置。
【請求項４】
前記報告先の伝送装置は、
前記データを配信する配信元の伝送装置であることを特徴とする請求項１に記載の伝送装置。
【請求項５】
前記報告先の伝送装置は、
前記第１の伝送網上の障害の復旧を指示することを特徴とする請求項１に記載の伝送装置。
【請求項６】
前記属性情報処理回路は、
前記第２の伝送網の簡易ネットワーク管理プロトコルのトラップ機能を使用して前記障害警報を前記報告先の伝送装置に送信することを特徴とする請求項１に記載の伝送装置。
【請求項７】
第１の伝送網を使用して接続した上流の伝送装置からデータを受信する伝送装置の伝送方法であって、
当該伝送装置は、
前記上流の伝送装置から受信したデータから、報告先の伝送装置の宛先を示す宛先情報及び、当該データの伝送経路を示す経路情報を含む属性情報を抽出し、
抽出された属性情報をメモリに記憶し、
前記第１の伝送網上の障害を検出した場合に、前記メモリに記憶された前記属性情報内の宛先情報に基づき、前記第１の伝送網と異なる第２の伝送網を使用して、前記報告先の伝送装置に障害警報を通知する
各処理を実行することを特徴とする伝送方法。
【請求項８】
第１の伝送網を使用して複数の伝送装置間でデータを伝送する伝送システムであって、
前記伝送装置は、
前記第１の伝送網を使用して接続した上流の伝送装置からデータを受信し、受信されたデータから、報告先の伝送装置の宛先を示す宛先情報及び、当該データの伝送経路を示す経路情報を含む属性情報を抽出する終端回路と、
前記終端回路によって抽出された属性情報をメモリに記憶すると共に、前記第１の伝送網上の障害を検出した場合に、前記メモリに記憶された前記属性情報内の宛先情報に基づき、前記第１の伝送網と異なる第２の伝送網を使用して、前記報告先の伝送装置に障害警報を通知する属性情報処理回路と
を有し、
前記報告先の伝送装置は、
前記第２の伝送網を使用して下流の伝送装置から前記障害警報を受信すると、前記障害警報内の経路情報に基づき、前記第１の伝送網上の障害箇所を特定すると共に、障害の復旧を指示する属性情報処理回路
を有することを特徴とする伝送システム。
【発明の詳細な説明】
【技術分野】
【０００１】
本発明は、伝送装置、伝送方法及び伝送システムに関する。
【背景技術】
【０００２】
光伝送ネットワーク（OTN:Optical  Transport  Network）は、複数の伝送装置を収容して接続し、伝送装置間のデータ通信を実現している。また、ＯＴＮを管理する保守者のＯＰＳ（OPeration  System）サーバは、ＯＴＮ上の各伝送装置の稼働状況を一元管理する。更に、ＯＰＳサーバは、ＯＴＮ上で回線障害が発生した場合でも、ＯＴＮ上の各伝送装置に障害状況を順次問合せ、その問合せに対する応答結果を取得する。
【０００３】
そして、ＯＰＳサーバは、各伝送装置の問合せに対する応答結果に基づき、ＯＴＮ上の障害箇所を特定する。また、ＯＰＳサーバは、障害箇所が特定されると、例えば、障害箇所を迂回する代替ルートを探索する。その結果、保守者は、手動で代替ルートに切替えて障害を復旧する。
【先行技術文献】
【特許文献】
【０００４】
【特許文献１】特開平５−１２２１８４号公報
【特許文献２】特開平７−２３１３５３号公報
【特許文献３】特開２００１−１１４５２６号公報
【発明の概要】
【発明が解決しようとする課題】
【０００５】
しかしながら、上記のようなシステムでは、ＯＴＮ上の障害箇所を特定する場合、ＯＰＳがＯＴＮ上の各伝送装置に順次問合せるため、その障害箇所を特定する際の処理負担が大きい。
【０００６】
一つの側面では、伝送網上の障害箇所を特定する処理負担を軽減する伝送装置、伝送方法及び伝送システムを提供することを目的とする。
【課題を解決するための手段】
【０００７】
開示の態様は、第１の伝送網を使用して接続した上流の伝送装置からデータを受信し、受信されたデータから、報告先の伝送装置の宛先を示す宛先情報及び、当該データの伝送経路を示す経路情報を含む属性情報を抽出する終端回路を有する。更に、開示の態様は、前記終端回路によって抽出された前記属性情報をメモリに記憶する属性情報処理回路を有する。更に、属性情報処理回路は、前記第１の伝送網上の障害を検出した場合に、前記メモリに記憶された前記属性情報内の宛先情報に基づき、前記第１の伝送網と異なる第２の伝送網を使用して、前記報告先の伝送装置に障害警報を通知する。
【発明の効果】
【０００８】
開示の態様では、第１の伝送網上の障害箇所を特定する処理負担を軽減できる。
【図面の簡単な説明】
【０００９】
【図１】図１は、実施例１の光伝送システムの一例を示す説明図である。
【図２】図２は、伝送装置の一例を示すブロック図である。
【図３】図３は、ＯＤＵｋのフレーム構造の一例を示す説明図である。
【図４】図４は、障害警報通知時の光伝送システムの動作の一例を示す説明図である。
【図５】図５は、障害復旧通知時の光伝送システムの動作の一例を示す説明図である。
【図６】図６は、実施例２の光伝送システムの一例を示す説明図である。
【図７】図７は、障害警報通知時の光伝送システムの動作の一例を示す説明図である。
【図８】図８は、障害復旧通知時の光伝送システムの動作の一例を示す説明図である。
【図９】図９は、実施例３の光伝送システムの一例を示す説明図である。
【図１０】図１０は、実施例４の光伝送システムの一例を示す説明図である。
【発明を実施するための形態】
【００１０】
以下、図面に基づいて、本願の開示する伝送装置、伝送方法及び伝送システムの実施例を詳細に説明する。尚、本実施例により、開示技術が限定されるものではない。また、以下に示す各実施例は、矛盾を起こさない範囲で適宜組み合わせても良い。
【実施例１】
【００１１】
図１は、実施例１の光伝送システムの一例を示す説明図である。図１に示す光伝送システム１は、複数の伝送装置２と、ＯＰＳ(OPeration  System)サーバ３と、光伝送ネットワーク（ＯＴＮ:Optical  Transport  Network）４と、データ通信ネットワーク（ＤＣＮ：Data  Communication  Network）５とを有する。伝送装置２は、例えば、各地域に配置されるものとする。ＯＴＮ４は、複数の伝送装置２を収容して接続し、伝送装置２間で通信を実現する。ＤＣＮ５は、伝送装置２間や、伝送装置２及びＯＰＳサーバ３間の監視制御用の通信を実現する。
【００１２】
図２は、伝送装置２の一例を示す説明図である。図２に示す伝送装置２は、光伝送ノード１０と、制御カード２０とを有する。光伝送ノード１０は、ＯＴＮ４との通信インタフェースを司る部位である。制御カード２０は、伝送装置２全体を制御すると共に、ＤＣＮ５との通信インタフェースを司る部位である。尚、説明の便宜上、図１に示す伝送装置２は、例えば、＃Ａ〜＃Ｈで示し、“＃Ａ”の伝送装置２は“２Ａ”、その光伝送ノード１０は“１０Ａ”、その制御カード２０は“２０Ａ”とする。同様に、“＃Ｂ”の伝送装置２は“２Ｂ”、その光伝送ノード１０は“１０Ｂ”、その制御カード２０は“２０Ｂ”とし、以下、“＃Ｃ”〜“＃Ｈ”についても同様の態様で符号を付すものとする。
【００１３】
光伝送ノード１０は、複数枚の光インタフェースカード１１と、装置内データバス１２とを有する。光インタフェースカード１１は、例えばＯＴＮ４との間の通信インタフェースである。光インタフェースカード１１は、装置内データバス１２を通じて主信号フレームを送受信する。更に、光インタフェースカード１１と制御カード２０との間は、装置内データベース１２を通じて通信を実行する。
【００１４】
制御カード２０は、通信デバイス２１と、ルーティングテーブル２２と、オーバヘッド終端回路２３と、マルチフレーム終端回路２４とを有する。更に、制御カード２０は、属性情報テーブル（ラベル(label)テーブル）２５と、メモリ２６と、ラベル処理回路２７と、障害アラームＤＢ（Data  Base）２８と、バス２９とを有する。通信デバイス２１は、ＤＣＮ５との通信を司るインタフェースである。ルーティングテーブル２２は、ＯＴＮ３上の各伝送ルートを格納したテーブルである。オーバヘッド終端回路２３は、光伝送ノード１０内の装置内データバス１２と接続され、装置内データバス１２経由で受信した主信号フレームを終端する。マルチフレーム終端回路２４は、オーバヘッド終端回路２３で終端した主信号フレーム中のオーバヘッド（ＯＨ：Overhead）を抽出する。属性情報テーブル２５は、当該伝送装置２自体のＤＣＮ５上のＩＰアドレスと、当該伝送装置２自体のＯＴＮ４上の光インタフェースカード１１を識別するサーキットＩＤとを管理する。メモリ２６は、各種情報を記憶する。
【００１５】
ラベル処理回路２７は、制御カード２０全体を制御する。ラベル処理回路２７は、ＯＴＮ４上の上流の伝送装置２から主信号フレームのオーバヘッドに付加された回線の属性情報を抽出し、抽出された属性情報をメモリ２６に上書き更新する。尚、主信号フレームに付加された属性情報は、報告先の伝送装置２の宛先を示すＤＣＮ５上のＩＰアドレス及びＯＴＮ４上のサーキットＩＤと、主信号フレームの伝送経路を示す経路情報とを含む。尚、報告先の伝送装置２は、障害検出時に後述する障害警報を報告する報告先の伝送装置２であって、例えば、主信号フレームのデータ配信元であるイングレス（Ingress）の＃Ａの光伝送ノード１０Ａを内蔵した伝送装置２Ａである。経路情報は、イングレスの光伝送ノード１０Ａから直近上流の光伝送ノード１０までの主信号フレームを伝送する経路上で経由した伝送装置２で表すものである。例えば、伝送装置２Ｃ内の制御カード２０Ｃが抽出した属性情報は、報告先の伝送装置２として伝送装置２ＡのＤＣＮ５上のＩＰアドレス及びＯＴＮ４上のサーキットＩＤと、経路情報として、＃Ａ→＃Ｂの情報とを含む。
【００１６】
また、ラベル処理回路２７は、主信号フレームをＯＴＮ４上の下流の伝送装置２の光伝送ノード１０に伝送する際、メモリ２６に上書き更新された属性情報内の経路情報に経由ノードとして自分の伝送装置２を追加して新たな属性情報を生成する。更に、ラベル処理回路２７は、新たな属性情報をオーバヘッドに付加する。尚、例えば、伝送装置２Ｃが下流の伝送装置２Ｆに伝送する主信号フレームの属性情報は、報告先の伝送装置２として伝送装置２ＡのＩＰアドレス及びサーキットＩＤをそのままとし、経由ノードとして＃Ｃを追加した＃Ａ→＃Ｂ→＃Ｃの経路情報を含む。そして、マルチフレーム終端回路２４は、新たな属性情報が付加されたオーバヘッドを主信号フレームに付加し、主信号フレームを光伝送ノード１０に伝送する。伝送装置２Ｃの光伝送ノード１０Ｃは、主信号フレームをＯＴＮ４上の下流の伝送装置２Ｆ及び伝送装置２Ｅに伝送する。
【００１７】
図３は、ＯＤＵｋのフレーム構造の一例を示す説明図である。図３に示すＯＤＵ（Optical  channel  Data  Unit）ｋ４０は、ＩＴＵ−Ｔ（International  Telecommunication  Union  Telecommunication  Standardization  Sector）  Ｇ．７０９で規格化されたフレーム構造である。ＯＤＵｋ４０は、ＯＤＵオーバヘッド４１と、Ｆｒａｍｅ  Ａｌｉｇｍｅｎｔオーバヘッド４２と、ＯＴＵ(Optical  channel  Transport  Unit)オーバヘッド４３と、ＯＰＵ(Optical  channel  Payload  Unit)オーバヘッド４４とを有する。更に、ＯＤＵｋ４０は、Ｐａｙｌｏａｄエリア４５と、ＦＥＣ(Forward  Error  Correction)エリア４６とを有する。また、ＯＤＵオーバヘッド４１は、ＲＥＳ（Reserve）５１と、ＴＣＭ(Tandem  Connection  Monitoring)ＡＣＴ５２と、ＴＣＭ１〜ＴＣＭ６とを有する。ＲＥＳ５１は、予約済みのバイトである。ＴＣＭ１〜６は、タンデム接続モニタリングのバイトである。
【００１８】
更に、ＯＤＵオーバヘッド４１は、ＦＴＦＬ(Fault  Type  &  Fault  Location  Reporting  channel)５３と、ＰＭ（Path  Monitoring）５４と、ＥＸＰ(Experimental)５５と、ＧＣＣ(General  Communication  Channel)１と、ＧＣＣ２とを有する。ＦＴＦＬ５３は、障害タイプ及び障害場所を示すバイトである。ＰＭ５４は、パスモニタリングのバイトである。ＥＸＰ５５は、実験用を示すバイトである。ＧＣＣ１〜２は、汎用通信チャネルを示すバイトである。更に、ＯＤＵオーバヘッド４１は、ＡＰＳ(Automatic  Protection  Switching  coordination  channel)／ＰＣＣ(Protection  Communication  Control  channel)５６と、ＲＥＳ５７とを有する。ＡＰＳ／ＰＣＣ５６は、自動プロテクションスイッチング／プロテクション通信チャネルを示すバイトである。ＲＥＳ５７は予約済みのバイトである。尚、属性情報は、ＲＥＳ５７に付加されるものである。
【００１９】
また、ラベル処理回路２７は、ＯＴＮ４上の障害を検出すると、ＤＣＮ５の簡易ネットワーク管理プロトコル（ＳＮＭＰ：Simple  Network  Management  Protocol）のトラップ機能を使用して、障害警報を報告先の伝送装置２に通知する。障害警報は、障害を検出した光伝送ノード１０のサーキットＩＤと、障害内容を示す障害情報と、メモリ２６に上書き更新された属性情報内の経路情報とを含む。つまり、ラベル処理回路２７は、メモリ２６に上書き更新された属性情報内のＩＰアドレスに基づき、ＳＮＭＰのトラップ機能を使用して障害警報を報告先の伝送装置２に通知する。
【００２０】
また、報告先の伝送装置２側の制御カード２０内のラベル処理回路２７は、ＳＮＭＰのトラップ機能を使用して下流の伝送装置２からの障害警報を取得すると、障害警報を障害アラームＤＢ２８に登録する。更に、ラベル処理回路２７は、障害警報内の障害検出の光伝送ノード１０のサーキットＩＤ、経路情報及び障害内容に基づき、ＯＴＮ４上の障害箇所を特定する。尚、ラベル処理回路２７は、障害警報の内容に基づき、ＯＴＮ４上の障害箇所を特定するが、その他の伝送装置２からの障害警報も踏まえて、ＯＴＮ４上の障害箇所を特定しても良い。
【００２１】
更に、報告先の伝送装置２側のラベル処理回路２７は、障害警報の内容に応じて障害復旧内容を識別し、その識別された障害復旧内容に応じて障害に対する障害復旧を指示する。例えば、障害箇所が、光伝送ノード１０Ｂと光伝送ノード１０Ｃとの間の回線の場合、ルーティングテーブル２２のテーブル内容を参照し、＃Ａ→＃Ｄ→＃Ｃの代替ルートに変更して障害を復旧する。その結果、光伝送ノード１０Ｃは、光伝送ノード１０Ｄから主信号フレームを受信して障害を復旧できる。尚、ラベル処理回路２７は、プロテクションスイッチング（Protection  Switching）機能を使用したルート変更や、ＯＳＰＦ（Open  Shortest  Path  First）−ＴＥ(Traffic  Engineering)を使用した動的なルート変更を指示しても良い。
【００２２】
また、ラベル処理回路２７は、障害箇所が伝送装置２のＦＥＣ訂正の無効化による場合、当該障害箇所の伝送装置２に対してＦＥＣ訂正の有効化を指示する。その結果、障害箇所の伝送装置２は、ＦＥＣ訂正を有効化することで障害を復旧できる。
【００２３】
また、障害警報を発した伝送装置２の光伝送ノード１０は、回線障害が復旧した場合、上流側の光伝送ノード１０から主信号フレームを受信できる。更に、制御カード２０内のラベル処理回路２７は、マルチフレーム終端回路２４を通じて主信号フレームのオーバヘッダから属性情報を抽出する。ラベル処理回路２７は、抽出された属性情報をメモリ２６内に上書き更新する。そして、ラベル処理回路２７は、ＳＮＭＰのトラップ機能を使用して、障害復旧を報告先の伝送装置２に通知する。障害復旧は、障害警報を発した伝送装置２側の光伝送ノード１０のサーキットＩＤと、障害復旧の完了を示す復旧情報とを含む。ラベル処理回路２７は、メモリ２６に上書き更新された属性情報内の報告先の伝送装置２のＩＰアドレスに基づき、ＳＮＭＰのトラップ機能を使用して障害復旧を報告先の伝送装置２に通知する。
【００２４】
報告先の伝送装置２側のラベル処理回路２７は、ＤＣＮ５経由でＳＮＭＰのトラップ機能を使用して障害復旧が取得されると、障害アラームＤＢ２８に登録済みの障害警報を削除する。その結果、報告先の伝送装置２は、ＯＴＮ４上の障害の復旧が完了したことを認識する。
【００２５】
通信デバイス２１、ルーティングテーブル２２、マルチフレーム終端回路２４、属性情報テーブル２５、メモリ２６、ラベル処理回路２７及び障害アラームＤＢ２８は、バス２９を使用してデータを送受信する。
【００２６】
次に、実施例１の光伝送システム１の動作について説明する。図４は、障害警報通知時の光伝送システム１の動作の一例を示す説明図である。図４の光伝送システム１では、光伝送ノード１０Ａの伝送装置２Ａをイングレスの伝送装置２とし、光伝送ノード１０Ａから下流の光伝送ノード１０に主信号フレームを片方向（Uni-directional）配信する。主信号フレームの経路は、光伝送ノード１０Ａ“＃Ａ”→光伝送ノード１０Ｂ“＃Ｂ”→光伝送ノード１０Ｃ“＃Ｃ”→…の経路である。
【００２７】
図４に示す伝送装置２Ａ内の光伝送ノード１０Ａは、伝送装置２ＡのＤＣＮ５上のＩＰアドレス及びＯＴＮ４上のサーキットＩＤと、＃Ａの経路情報とを含む属性情報を付加した主信号フレームを伝送装置２Ｂ内の光伝送ノード１０Ｂに伝送する。
【００２８】
また、伝送装置２Ｂは、光伝送ノード１０Ａから主信号フレームを受信すると、主信号フレームに付加された属性情報をメモリ２６に上書き更新する。更に、伝送装置２Ｂは、主信号フレームをＯＴＮ４上の下流の伝送装置２に伝送する際、属性情報内の経路情報に経由ノードとして自分の伝送装置２Ｂ（＃Ｂ）を追加し、＃Ａ→＃Ｂの経路情報を含む新たな属性情報を生成する。尚、新たな属性情報内の報告先の伝送装置２のＤＣＮ５上のＩＰアドレス及びＯＴＮ４上のサーキットＩＤは、メモリ２６に記憶されたままの内容である。更に、伝送装置２Ｂ内の光伝送ノード１０Ｂは、新たな更新情報を付加した主信号フレームを伝送装置２Ｃ内の光伝送ノード１０Ｃに伝送する。
【００２９】
また、伝送装置２Ｃは、光伝送ノード１０Ｂから主信号フレームを受信すると、主信号フレームに付加された属性情報をメモリ２６に上書き更新する。更に、伝送装置２Ｃは、主信号フレームをＯＴＮ４上の下流に伝送する際、属性情報内の経路情報に経由ノードとして自分の伝送装置２Ｃ（＃Ｃ）を追加し、＃Ａ→＃Ｂ→＃Ｃの経路情報を含む新たな属性情報を生成する。更に、伝送装置２Ｃ内の光伝送ノード１０Ｃは、新たな更新情報を付加した主信号フレームを光伝送ノード１０Ｅ及び光伝送ノード１０Ｆに伝送する。
【００３０】
また、伝送装置２Ｆは、光伝送ノード１０Ｃから主信号フレームを受信すると、主信号フレームに付加された属性情報をメモリ２６に上書き更新する。更に、伝送装置２Ｆは、主信号フレームをＯＴＮ４上の下流に伝送する際、属性情報内の経路情報に経由ノードとして自分の伝送装置２Ｆ（＃Ｆ）を追加し、＃Ａ→＃Ｂ→＃Ｃ→＃Ｆの経路情報を含む新たな属性情報を生成する。更に、伝送装置２Ｆ内の光伝送ノード１０Ｆは、新たな更新情報を付加した主信号フレームを光伝送ノード１０Ｇ及び光伝送ノード１０Ｈに伝送する。尚、伝送装置２Ｇ及び伝送装置２Ｈについても同様の処理動作を実行するものである。
【００３１】
伝送装置２Ｃは、光伝送ノード１０Ｂとの間の回線切断の障害を検出した場合、メモリ２６に上書き更新された属性情報の報告先の伝送装置２ＡのＤＣＮ５上のＩＰアドレスを取得する。伝送装置２Ｃの制御カード２０Ｃは、報告先の伝送装置２ＡのＤＣＮ５上のＩＰアドレスに基づき、ＳＮＭＰのトラップ機能を使用してＤＣＮ５経由で障害警報を報告先の伝送装置２Ａの制御カード２０Ａに通知する。尚、障害警報には、障害を検出した光伝送ノード１０のサーキットＩＤと、属性情報内の経路情報と、障害内容とを含む。
【００３２】
報告先の伝送装置２Ａは、ＳＮＭＰのトラップ機能を使用してＤＣＮ５経由で伝送装置２Ｃから障害警報を取得する。伝送装置２Ａは、障害警報を取得した場合、この障害警報を障害アラームＤＢ２８に登録する。更に、伝送装置２Ａは、障害警報内の障害内容、障害を検出した光伝送ノード１０及び経路情報に基づきＯＴＮ４上の障害箇所、例えば、光伝送ノード１０Ｂと光伝送ノード１０Ｃとの間の回線を特定する。
【００３３】
報告先の伝送装置２Ａは、障害箇所が特定されると、ルーティングテーブル２２の内容を参照し、光伝送ノード１０Ｂと光伝送ノード１０Ｃとの間の障害箇所を迂回し、光伝送ノード１０Ｄを経由して光伝送ノード１０Ｃに伝送する代替ルートへの変更を指示する。
【００３４】
図５は、障害復旧通知時の光伝送システム１の動作の一例を示す説明図である。図５に示す報告先の伝送装置２Ａは、ＯＴＮ４上の光伝送ノード１０Ｂを光伝送ノード１０Ｄに切り替え、光伝送ノード１０Ｄ経由で光伝送ノード１０Ｃに主信号フレームを伝送することで、障害を復旧する。そして、報告先の伝送装置２Ａは、伝送装置２ＡのＤＣＮ５上のＩＰアドレス及びＯＴＮ４上のサーキットＩＤと、＃Ａの経路情報とを含む属性情報を付加した主信号フレームを伝送装置２Ｄ内の光伝送ノード１０Ｄに伝送する。
【００３５】
また、伝送装置２Ｄは、光伝送ノード１０Ａから主信号フレームを受信すると、主信号フレームに付加された属性情報をメモリ２６に上書き更新する。更に、伝送装置２Ｄは、主信号フレームをＯＴＮ４上の下流に伝送する際、属性情報内の経路情報に経由ノードとして自分の伝送装置２Ｄ（＃Ｄ）を追加し、＃Ａ→＃Ｄの経路情報を含む新たな属性情報を生成する。更に、伝送装置２Ｄ内の光伝送ノード１０Ｄは、新たな更新情報を付加した主信号フレームを伝送装置２Ｃ内の光伝送ノード１０Ｃに伝送する。
【００３６】
更に、伝送装置２Ｃは、光伝送ノード１０Ｄから主信号フレームを受信すると、主信号フレームに付加された属性情報をメモリ２６に上書き更新する。更に、伝送装置２Ｄは、上流からの主信号フレームが受信されると、障害復旧を認識し、属性情報内の報告先の伝送装置２ＡのＤＣＮ５上のＩＰアドレスに基づき、ＳＮＭＰのトラップ機能を使用して障害復旧を報告先の伝送装置２Ａに通知する。更に、伝送装置２Ｃは、主信号フレームをＯＴＮ４上の下流に伝送する際、属性情報内の経路情報に経由ノードとして自分の伝送装置２Ｃ（＃Ｃ）を追加し、＃Ａ→＃Ｄ→＃Ｃの経路情報を含む新たな属性情報を生成する。更に、伝送装置２Ｃ内の光伝送ノード１０Ｃは、新たな更新情報を付加した主信号フレームを光伝送ノード１０Ｅ及び光伝送ノード１０Ｆに夫々伝送する。
【００３７】
報告先の伝送装置２は、ＤＣＮ５経由で下流の伝送装置２ＣからＳＮＭＰのトラップ機能を使用して障害復旧を取得すると、障害アラームＤＢ２８に登録済みの障害警報を削除する。その結果、報告先の伝送装置２は、ＯＴＮ４上の障害の復旧が完了したことを認識する。
【００３８】
更に、伝送装置２Ｆは、光伝送ノード１０Ｃから主信号フレームを受信すると、主信号フレームに付加された属性情報をメモリ２６に上書き更新する。更に、伝送装置２Ｆは、主信号フレームをＯＴＮ４上の下流に伝送する際、属性情報内の経路情報に経由ノードとして自分の伝送装置２Ｆ（＃Ｆ）を追加し、＃Ａ→＃Ｄ→＃Ｃ→＃Ｆの経路情報を含む属性情報を生成する。更に、伝送装置２Ｆ内の光伝送ノード１０Ｆは、新たな更新情報を付加した主信号フレームを光伝送ノード＃Ｇ及び光伝送ノード＃Ｈに夫々伝送する。尚、伝送装置２Ｇ及び伝送装置２Ｈについても同様の処理動作を実行するものである。
【００３９】
実施例１では、ＯＴＮ４上で障害が検出した場合でも、障害を検出した伝送装置２がＤＣＮ５経由でＳＮＭＰのトラップ機能を使用して障害警報を報告先の伝送装置２、すなわち主信号フレームの配信元の伝送装置２に通知する。その結果、報告先の伝送装置２は、ＤＣＮ５経由で下流の伝送装置２から障害警報を取得し、伝送装置２間が片方向配信の場合でも、障害発生を認識できる。しかも、伝送装置２は、障害を検出すると、自律的に上流の報告先の伝送装置２に障害警報を通知することになるため、ＯＰＳ３側の処理負担を軽減できる。
【００４０】
更に、実施例１では、障害警報内には障害を検出した伝送装置２のサーキットＩＤ、経路情報及び障害内容を含む。報告先の伝送装置２は、障害警報内の障害を検出した伝送装置２のサーキットＩＤ及び経路情報に基づき、ＯＴＮ４上の障害箇所を特定できる。
【００４１】
更に、実施例１の報告先の伝送装置２は、ＯＴＮ４上の障害箇所が特定されると、その障害箇所に対応する障害の復旧を自律的に指示し、その障害を復旧する。その結果、保守者の障害復旧に要する作業負担を軽減できる。
【００４２】
更に、実施例１では、障害警報が報告先の伝送装置２に集中するため、ＯＰＳ３側では報告先の伝送装置２の監視に注視していればよく、ＯＰＳ３側の処理負担が軽減できる。更に、通常状態に各伝送装置２とＯＰＳ３との間で定期的なポーリング通信も必要なくなるため、ＤＣＮ５内の通信資源も節減できる。
【００４３】
尚、上記実施例１では、ＯＴＮ４上で障害を検出した場合、障害を検出した伝送装置２がＤＣＮ５経由でＳＮＭＰのトラップ機能を使用して障害警報を上流側にある報告先の伝送装置２、すなわち主信号フレームの配信元の伝送装置２Ａに通知した。
【実施例２】
【００４４】
しかしながら、報告先の伝送装置２は配信元の伝送装置２Ａに限定されるのではなく、障害を復旧する機能を備えた伝送装置２であれば良く、その実施の形態につき、実施例２として以下に説明する。図６は、実施例２の光伝送システムの一例を示す説明図である。尚、実施例１の光伝送システム１と同一の構成には同一符号を付すことで、その重複する構成及び動作の説明については省略する。
【００４５】
図６に示す光伝送システム１Ｂは、ＯＴＮ４を“＃１”のエリア４Ａ及び“＃２”のエリア４Ｂに分割し、エリア４Ａ内に伝送装置２Ａ、伝送装置２Ｂ及び伝送装置２Ｄを収容する。また、光伝送システム１Ｂは、エリア４Ｂ内の“＃Ｊ”の伝送装置２Ｊ、“＃Ｋ”の伝送装置２Ｋ、“＃Ｌ”の伝送装置２Ｌ、“＃Ｍ”の伝送装置２Ｍ及び“＃Ｎ”の伝送装置２Ｎを収容する。尚、説明の便宜上、伝送装置２Ｊの光伝送ノード１０を“１０Ｊ”、伝送装置２Ｊの制御カード２０を“２０Ｊ”とし、以下、“＃Ｋ”〜“＃Ｎ”についても同様の態様で符号を付すものとする。
【００４６】
例えば、エリア４Ａ内では報告先の伝送装置２を伝送装置２Ａとし、エリア４Ｂ内では報告先の伝送装置２を、障害復旧機能を備えた伝送装置２Ｊとする。
【００４７】
この際、エリア４Ｂ内の伝送装置２Ｊは、エリア４Ａ内の伝送装置２Ｄから主信号フレームを受信すると、主信号フレームから属性情報を抽出する。尚、属性情報は、配信元の伝送装置２ＡのＤＣＮ５上のＩＰアドレス及びＯＴＮ４上のサーキットＩＤと、＃Ａ→＃Ｄの経路情報とを含む。この際、伝送装置２Ｊは、属性情報を抽出すると、当該属性情報をメモリ２６に上書き更新する。
【００４８】
更に、伝送装置２Ｊは、主信号フレームをエリア４Ｂ内の下流の伝送装置２に伝送する際、属性情報内の報告先の伝送装置２を伝送装置２ＪのＤＣＮ５上のＩＰアドレス及びサーキットＩＤに書換え、＃Ａ→＃Ｄ→＃Ｊの経路情報を含む新たな属性情報を生成する。更に、伝送装置２Ｊは、新たな属性情報を主信号フレームに付加し、付加された主信号フレームをエリア４Ｂ内の下流の伝送装置２Ｋ内の光伝送ノード１０Ｋに伝送する。
【００４９】
伝送装置２Ｋは、伝送装置２Ｊから主信号フレームを受信すると、主信号フレームに付加された属性情報をメモリ２６に上書き更新する。更に、伝送装置２Ｋは、主信号フレームをエリア４Ｂ内の下流の伝送装置２Ｎに伝送する際、属性情報内の経路情報に経由ノードとして自分の伝送装置２Ｋ（＃Ｋ）を追加し、＃Ａ→＃Ｄ→＃Ｊ→＃Ｋの経路情報を含む新たな属性情報を生成する。更に、伝送装置２Ｋ内の光伝送ノード１０Ｋは、新たな属性情報を付加した主信号フレームを伝送装置２Ｎ内の光伝送ノード１０Ｎに伝送する。
【００５０】
図７は、障害警報通知時の光伝送システム１Ｂの動作の一例を示す説明図である。図７の光伝送システム１Ｂでは、エリア４Ｂ内の伝送装置２Ｋと伝送装置２Ｎとの間の回線に障害が発生したとする。伝送装置２Ｎは、ＯＴＮ４上の障害を検出すると、メモリ２６に上書き更新された属性情報内の報告先の伝送装置２、すなわち伝送装置２ＪのＩＰアドレスに基づき、ＤＣＮ５経由でＳＮＭＰのトラップ機能を使用して障害警報を伝送装置２Ｊに通知する。
【００５１】
報告先の伝送装置２Ｊは、ＳＮＭＰのトラップ機能を使用して下流の伝送装置２Ｎから障害警報を取得すると、障害警報を障害アラームＤＢ２８に登録する。更に、報告先の伝送装置２Ｊは、障害警報の内容に基づき、伝送装置２Ｋと伝送装置２Ｎとの間の回線の障害を特定する。更に、報告先の伝送装置２Ｊは、障害箇所が特定されると、ルーティングテーブル２２を参照して、障害を迂回する代替ルートを探索する。その結果、伝送装置２Ｊは、伝送装置２Ｊ→伝送装置２Ｌ→伝送装置２Ｎの代替ルートへの変更を指示する。
【００５２】
図８は、障害復旧時の光伝送システム１Ｂの動作の一例を示す説明図である。図８に示す報告先の伝送装置２Ｊは、自分の伝送装置２ＪのＩＰアドレス及びサーキットＩＤと、＃Ａ→＃Ｄ→＃Ｊの経路情報とを含む新たな属性情報を生成する。更に、伝送装置２Ｊは、光伝送ノード１０Ｋを光伝送ノード１０Ｌに切り替え、新たな更新情報を付加した主信号フレームを伝送装置２Ｌ内の光伝送ノード１０Ｌに伝送する。
【００５３】
伝送装置２Ｌは、光伝送ノード１０Ｊから主信号フレームを受信すると、主信号フレームに付加された属性情報をメモリ２６に上書き更新する。伝送装置２Ｌは、主信号フレームをエリア４Ｂ内の下流の伝送装置２Ｎに伝送する際、属性情報内の経路情報に経由ノードとして自分の伝送装置２Ｌ（＃Ｌ）を追加し、＃Ａ→＃Ｄ→＃Ｊ→＃Ｌの経路情報を含む新たな属性情報を生成する。更に、伝送装置２Ｌ内の光伝送ノード１０Ｌは、新たな属性情報を付加した主信号フレームを光伝送ノード１０Ｎに伝送する。
【００５４】
また、伝送装置２Ｎは、光伝送ノード１０Ｌから主信号フレームを受信すると、主信号フレームに付加された属性情報をメモリ２６に上書き更新する。更に、伝送装置２Ｎは、上流からの主信号フレームが受信されると、障害復旧を認識し、属性情報内の報告先の伝送装置２ＪのＤＣＮ５上のＩＰアドレスに基づき、ＳＮＭＰのトラップ機能を使用して障害復旧を報告先の伝送装置２Ｊに通知する。
【００５５】
報告先の伝送装置２Ｊは、ＤＣＮ５経由で下流の伝送装置２ＮからＳＮＭＰのトラップ機能を使用して障害復旧を取得すると、障害アラームＤＢ２８に登録済みの障害警報を削除する。その結果、報告先の伝送装置２Ｊは、障害の復旧が完了したことを認識する。
【００５６】
実施例２では、報告先の伝送装置２として主信号フレームの配信元の伝送装置２Ａに関係なく、障害を復旧する機能を備えた伝送装置２Ｊに障害警報を通知したので、障害復旧に要する、例えばルート変更等の影響を最小限に抑えることができる。
【００５７】
また、実施例２では、同一ＯＴＮ４を複数エリアに分割し、エリア毎に報告先の伝送装置２を備えたので、障害復旧に要する、例えばルート変更等の影響を最小限に抑えることができる。
【００５８】
尚、上記実施例２では、エリア毎に報告先の伝送装置２を配置するようにしたが、エリア内に複数の報告先の伝送装置２を配置するようにしても良い。
【００５９】
尚、上記実施例では、同一ＯＴＮ４を複数エリアに分割し、エリア毎に報告先の伝送装置２を配置した光伝送システム１Ｂについて説明した。しかし、本願の技術内容は、ＯＴＮ４内の伝送装置２間を異なる伝送網で接続した光伝送システムについても適用可能であり、実施の形態として実施例３として以下に説明する。
【実施例３】
【００６０】
図９は、実施例３の光伝送システムの一例を示す説明図である。尚、実施例１の光伝送システム１と同一の構成には同一符号を付すことで、その重複する構成及び動作の説明については省略する。図９に示す光伝送システム１Ｃは、“＃Ａ”の伝送装置２Ａと、“＃Ｐ”の伝送装置２Ｐと、“＃Ｑ”の伝送装置２Ｑと、“＃Ｒ”の伝送装置２Ｒとを有する。伝送装置２Ａ、伝送装置２Ｐ、伝送装置２Ｑ及び伝送装置２Ｒは、ＯＴＮ４内に収容して接続する。
【００６１】
更に、伝送装置２Ａ内の光伝送ノード１０Ａは、伝送装置２Ｐ内の光伝送ノード１０Ｐとの間で主信号フレームを送受信する。尚、伝送装置２Ａ及び伝送装置２Ｐは、伝送装置２Ａ及び伝送装置２Ｐ間で障害が発生した場合、主信号フレームのＦＴＦＬ機能を使用して障害箇所及び障害内容を通知し合う。
【００６２】
更に、伝送装置２Ｑ内の光伝送ノード１０Ｑは、伝送装置２Ｒ内の光伝送ノード１０Ｒとの間で主信号フレームを送受信する。尚、伝送装置２Ｑ及び伝送装置２Ｒは、伝送装置２Ｑ及び伝送装置２Ｒ間で障害が発生した場合、主信号フレームのＦＴＦＬ機能を使用して障害箇所及び障害内容を通知し合う。
【００６３】
更に、光伝送ノード１０Ｐと光伝送ノード１０Ｑとの間は、異なる伝送網、例えば、ＳＯＮＥＴ／ＳＤＨ（Synchronous  Optical  NETwork/Synchronous  Digital  Hierarchy）網６で接続する。しかしながら、伝送装置２Ｐ及び伝送装置２Ｑは、伝送装置２Ｐ及び伝送装置２Ｑ間のＳＯＮＥＴ／ＳＤＨ網６で障害が発生した場合、ＦＴＦＬ機能を使用することができないため、その障害を通知し合うことができない。
【００６４】
伝送装置２Ａ、伝送装置２Ｐ、伝送装置２Ｑ及び伝送装置２Ｒは、ＤＣＮ５経由で監視制御用の通信が可能となる制御カード２０を内蔵している。伝送装置２Ａは制御カード２０Ａ、伝送装置２Ｐは制御カード２０Ｐ、伝送装置２Ｑは制御カード２０Ｑ、伝送装置２Ｒは制御カード２０Ｒを内蔵している。
【００６５】
伝送装置２Ａは、主信号フレームを下流の伝送装置２Ｐに伝送する際、主信号フレームに属性情報を付加する。属性情報には、報告先の伝送装置２として伝送装置２ＡのＤＣＮ５上のＩＰアドレス及びサーキットＩＤと、＃Ａの経路情報とを含む。伝送装置２Ａは、属性情報が付加された主信号フレームを伝送装置２Ｐに伝送する。
【００６６】
伝送装置２Ｐは、上流の伝送装置２Ａから主信号フレームを受信すると、主信号フレームに付加された属性情報をメモリ２６に上書き更新する。更に、伝送装置２Ｐは、主信号フレームを下流の伝送装置２Ｑに伝送する際、属性情報内の経路情報に経由ノードとして自分の伝送装置２Ｐ（＃Ｐ）を追加し、＃Ａ→＃Ｐの経路情報を含む新たな属性情報を生成する。更に、伝送装置２Ｐは、新たな更新情報を付加した主信号フレームを伝送装置２Ｑに伝送する。
【００６７】
伝送装置２Ｑは、上流の伝送装置２ＰからＳＯＮＥＴ／ＳＤＨ網６経由で主信号フレームを受信すると、主信号フレームに付加された属性情報をメモリ２６に上書き更新する。更に、伝送装置２Ｑは、主信号フレームを下流の伝送装置２Ｒに伝送する際、属性情報内の経路情報に経由ノードとして自分の伝送装置２Ｑ（＃Ｑ）を追加し、＃Ａ→＃Ｐ→＃Ｑの経路情報を含む新たな属性情報を生成する。更に、伝送装置２Ｑは、新たな更新情報を付加した主信号フレームを伝送装置２Ｒに伝送する。
【００６８】
更に、伝送装置２Ｒは、上流の伝送装置２ＱからＳＯＮＥＴ／ＳＤＨ網６経由で主信号フレームを受信すると、主信号フレームに付加された属性情報をメモリ２６に上書き更新する。更に、伝送装置２Ｒは、主信号フレームを下流の伝送装置に伝送する際、属性情報内の経路情報に経由ノードとして自分の伝送装置２Ｒ（＃Ｒ）を追加し、＃Ａ→＃Ｐ→＃Ｑ→＃Ｒの経路情報を含む新たな属性情報を生成する。更に、伝送装置２Ｒは、新たな更新情報を付加した主信号フレームを下流の伝送装置２に伝送する。
【００６９】
例えば、伝送装置２Ｐ及び伝送装置２Ｑ間のＳＯＮＥＴ／ＳＤＨ網６上で障害を発生したとする。伝送装置２Ｑ内の制御カード２０Ｑは、メモリ２６内に記憶された属性情報内の報告先の伝送装置２ＡのＩＰアドレスに基づき、ＤＣＮ５経由でＳＮＭＰのトラップ機能を使用して障害警報を報告先の伝送装置２Ａの制御カード２０Ａに通知する。その結果、報告先の伝送装置２Ａは、ＳＮＭＰのトラップ機能を使用して下流の伝送装置２Ｑからの障害警報を取得する。そして、報告先の伝送装置２Ａは、障害警報に基づき、伝送装置２Ｐ及び伝送装置２Ｑ間のＳＯＮＥＴ／ＳＤＨ網６上の障害箇所を特定する。更に、報告先の伝送装置２Ａは、障害箇所を特定し、障害箇所を迂回する代替ルートがある場合、その代替ルートに変更して障害を復旧できる。
【００７０】
実施例３では、ＯＴＮ４内の伝送装置２間を接続するＳＯＮＥＴ／ＳＤＨ網６上で障害が発生した場合でも、属性情報内の報告先の伝送装置２ＡのＩＰアドレスに基づき、ＤＣＮ５経由でＳＮＭＰのトラップ機能を使用して障害警報を報告先の伝送装置２Ａに通知する。報告先の伝送装置２Ａは、ＯＴＮ４内の伝送装置間を中継するＳＯＮＥＴ／ＳＤＨ網６上の障害が発生したとしても、当該障害箇所を特定できる。
【００７１】
上記実施例３では、ＯＴＮ４内の伝送装置２間を接続する伝送網をＳＯＮＥＴ／ＳＤＨ網６としたが、ＯＴＮ４と異なるＳＯＮＥＴ／ＳＤＨ網６以外の伝送網であっても良い。
【００７２】
尚、上記実施例１及び２では、伝送装置２間の主信号フレームを片方向（Uni-directional）通信で伝送する場合を例に挙げて説明した。しかしながら、伝送装置２間の主信号フレームを双方向（Bi-directional）通信で伝送する場合にも本技術内容は適用可能であり、その実施の形態につき、実施例４として以下に説明する。
【実施例４】
【００７３】
図１０は、実施例４の光伝送システムの一例を示す説明図である。図１０に示す光伝送システム１Ｄは、“＃Ｓ”の伝送装置２Ｓと、“＃Ｔ”の伝送装置２Ｔと、“＃Ｖ”の伝送装置２Ｖと、“＃Ｗ”の伝送装置２Ｗとを有する。伝送装置２Ｓは、光ファイバ６１で伝送装置２Ｔと双方向通信する。伝送装置２Ｔは、光ファイバ６２で伝送装置２Ｖと双方向通信する。更に、伝送装置２Ｔは、光ファイバ６３で伝送装置２Ｗと双方向通信する。
【００７４】
伝送装置２Ｓは、光伝送ノード１０Ｓと、制御カード２０Ｓとを有する。光伝送ノード１０Ｓは、光ファイバ６１Ａで伝送装置２Ｔに主信号フレームを送信する送信器７１Ｓと、光ファイバ６１Ｂで伝送装置２Ｔから主信号フレームを受信する受信器７２Ｓとを有する。伝送装置２Ｖは、光伝送ノード１０Ｖと、制御カード２０Ｖとを有する。光伝送ノード１０Ｖは、光ファイバ６２Ｂで伝送装置２Ｔに主信号フレームを送信する送信器７１Ｖと、光ファイバ６２Ａで伝送装置２Ｔから主信号フレームを受信する受信器７２Ｖとを有する。伝送装置２Ｗは、光伝送ノード１０Ｗと、制御カード２０Ｗとを有する。光伝送ノード１０Ｗは、光ファイバ６３Ｂで伝送装置２Ｔに主信号フレームを送信する送信器７１Ｗと、光ファイバ６３Ａで伝送装置２Ｔから主信号フレームを受信する受信器７２Ｗとを有する。
【００７５】
伝送装置２Ｔは、光伝送ノード１０Ｔと、制御カード２０Ｔとを有する。光伝送ノード１０Ｔは、第１の受信器８１と、第２の受信器８２と、第１の送信器８３と、第２の送信器８４と、光カプラ８５と、光スイッチ８６と、制御カード２０Ｔとを有する。第１の受信器８１は、光ファイバ６１Ａで伝送装置２Ｓからの主信号フレームを受信し、受信された主信号フレームを第１の送信器８３に伝送する。第１の送信器８３は、第１の受信器８１を通じて受信した主信号フレームを光カプラ８５に伝送する。光カプラ８５は、第１の送信器８３からの主信号フレームを光分岐する。光カプラ８５は、光分岐された主信号フレームを光ファイバ６２Ａで伝送装置２Ｖに伝送すると共に、光分岐された主信号フレームを光ファイバ６３Ａで伝送装置２Ｗに伝送する。
【００７６】
光スイッチ８６は、光ファイバ６２Ｂ又は光ファイバ６３Ｂを切替選択し、光ファイバ６２Ｂが選択されると、光ファイバ６２Ｂで伝送装置２Ｖからの主信号フレームを第２の受信器８２に伝送する。また、光スイッチ８６は、光ファイバ６３Ｂが選択されると、光ファイバ６３Ｂで伝送装置２Ｗからの主信号フレームを第２の受信器８２に伝送する。第２の受信器８２は、光スイッチ８６で切替選択された光ファイバ６２Ｂ又は６３Ｂで主信号フレームを受信し、受信された主信号フレームを第２の送信器８４に送信する。第２の送信器８４は、第２の受信器８２によって受信された主信号フレームを光ファイバ６１Ｂで伝送装置２Ｓに伝送する。
【００７７】
また、伝送装置２Ｓの制御カード２０Ｓ、伝送装置２Ｔの制御カード２０Ｔ、伝送装置２Ｖの制御カード２０Ｖ及び伝送装置２Ｗの制御カード２０Ｗは、ＤＣＮ５経由で監視制御用の通信が可能となる。
【００７８】
例えば、伝送装置２Ｔから伝送装置２Ｖへの光ファイバ６２Ａで回線障害を発生したとする。この際、伝送装置２Ｔ及び伝送装置２Ｖ間の光ファイバ６２は双方向通信であるため、伝送装置２Ｖが光ファイバ６２Ｂを使用して伝送装置２Ｔに回線障害を通知することも考えられる。しかしながら、伝送装置２Ｔ側の光スイッチ８６が光ファイバ６３Ｂを切替選択中の場合、伝送装置２Ｖからの回線障害を伝送装置２Ｓに通知できない。
【００７９】
そこで、伝送装置２Ｖの制御カード２０Ｖは、光ファイバ６２Ａの回線障害を検出すると、属性情報内の報告先の伝送装置２ＳのＩＰアドレスに基づき、ＤＣＮ５経由でＳＮＭＰのトラップ機能を使用して障害警報を伝送装置２Ｓに通知する。その結果、伝送装置２Ｓは、ＳＮＭＰのトラップ機能を使用して障害警報を取得し、障害警報に基づき、伝送装置２Ｔ及び伝送装置２Ｖ間の光ファイバ６２Ａ上の回線障害を特定する。そして、伝送装置２Ｓは、障害が特定されると、その障害を復旧する処理を実行する。
【００８０】
実施例４では、双方向通信の光伝送システム１Ｄ上で回線障害が発生したとしても、ＤＣＮ５経由のＳＮＭＰのトラップ機能を使用して障害警報を上流側の報告先の伝送装置２Ｓに通知する。そして、報告先の伝送装置２Ｓは、ＳＮＭＰのトラップ機能を使用して障害警報を取得し、その取得された障害警報に基づき障害箇所を特定できる。
【００８１】
尚、上記実施例では、障害警報を報告先の伝送装置２に通知する際にＳＮＭＰのトラップ機能を使用してＤＣＮ５経由で通知したが、障害警報を通知できる伝送網であれば良く、ＤＣＮ５に限定されるものではない。
【００８２】
また、上記実施例では、障害警報内に障害内容を含めるようにしたが、障害警報に障害内容を含めなくても良い。
【００８３】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００８４】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【００８５】
１  光伝送システム
２  伝送装置
４  ＯＴＮ
５  ＤＣＮ
６  ＳＯＮＥＴ／ＳＤＨ網
１０  光伝送ノード
２０  制御カード
２３  オーバヘッド終端回路
２４  マルチフレーム終端回路
２６  メモリ
２７  ラベル処理回路
【図１】
2013106153.tif 000003
【図２】
2013106153.tif 000004
【図３】
2013106153.tif 000005
【図４】
2013106153.tif 000006
【図５】
2013106153.tif 000007
【図６】
2013106153.tif 000008
【図７】
2013106153.tif 000009
【図８】
2013106153.tif 000010
【図９】
2013106153.tif 000011
【図１０】
2013106153.tif 000012